【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
前記少なくとも１つのプロセッサに結合され、前記少なくとも１つのプロセッサに命令を提供するように構成されたメモリと、
を備えるシステムであって、
前記少なくとも１つのプロセッサは、
１人以上の訪問ユーザによって送信された複数のアクセスリクエストに関係付けられるネットワークアドレス識別子と、前記複数のアクセスリクエストに関係付けられる複数のヘッダフィールド要素と、に少なくとも部分的に基づいて、複数のアクセス集合を生成することであって、前記複数のアクセスリクエストの各アクセスリクエストは、予備ユーザ識別子と、前記ネットワークアドレス識別子と、前記複数のヘッダフィールド要素とを含み、一つのアクセス集合は、前記ネットワークアドレス識別子と、前記複数のヘッダフィールド要素の少なくとも一部の要素と、を含む、複数のアクセス集合の生成と、
前記アクセスリクエストに少なくとも部分的に基づいて、前記複数のアクセス集合の少なくとも一部分集合のそれぞれのアクセス集合に対応する情報損失率を決定することと、
前記それぞれの情報損失率に少なくとも部分的に基づいて、前記複数の訪問ユーザの中の一つの訪問ユーザに対応する統一ユーザ識別子の決定に使用するためのアクセス集合を、前記複数のアクセス集合のなかから選択することと、
を行うように構成される、システム。
【請求項２】
請求項１に記載のシステムであって、
前記複数のヘッダフィールド要素は、承認言語情報、承認コード化情報、およびユーザエージェント情報のうちの、１つ以上を含む、システム。
【請求項３】
請求項１に記載のシステムであって、
前記アクセスリクエストに少なくとも部分的に基づいて、前記複数のアクセス集合の少なくとも一部分集合のそれぞれのアクセス集合に対応する情報損失率を決定することは、前記複数のアクセス集合の中の第１のアクセス集合に対応する情報損失率を決定することを含み、前記情報損失率は、アクセス集合を使用して前記複数の訪問ユーザのための統一ユーザ識別子を決定する場合の精度の予測値を含む、システム。
【請求項４】
請求項３に記載のシステムであって、
前記第１のアクセス集合に対応する情報損失率を決定することは、
前記第１のアクセス集合から複数のアクセス部分集合を決定することであって、一つのアクセス部分集合は、前記第１のアクセス集合に関係付けられるネットワークアドレス識別子と、前記第１のアクセス集合に関係付けられるヘッダフィールド要素に対応する値と、を含む、複数のアクセス部分集合の決定と、
前記複数のアクセス部分集合の各アクセス部分集合について、前記第１のアクセス集合に関係付けられた複数の予備ユーザ識別子に関係付けられるデータフローの数を決定することと、
前記複数の予備ユーザ識別子に関係付けられるデータフローのそれぞれの数に少なくとも部分的に基づいて、前記第１のアクセス集合についての情報損失率を決定することと、
を含む、システム。
【請求項５】
請求項４に記載のシステムであって、
前記複数のアクセス部分集合の各アクセス部分集合について、前記第１のアクセス集合に関係付けられた複数の予備ユーザ識別子に関係付けられるデータフローの数を決定することは、前記複数の予備ユーザ識別子の各予備ユーザ識別子に関係付けられるアクセス部分集合のデータフローのそれぞれの数を足し合わせることを含む、システム。
【請求項６】
請求項５に記載のシステムであって、
前記第１のアクセス集合についての情報損失率を決定することは、式（１−Ｒ／Ｗ）に少なくとも部分的に基づき、
ここで、Ｒは、前記複数のアクセス部分集合の各アクセス部分集合に対応する前記複数の予備ユーザ識別子に関係付けられるデータフローの数に関係付けられる和を表し、Ｗは、指定のデータフロー範囲を表す、システム。
【請求項７】
請求項６に記載のシステムであって、
前記指定のデータフロー範囲は、前記第１のアクセス集合に関係付けられる情報損失率を決定するために分析される、指定の時間間隔にわたって受信される前記第１のアクセス集合に関係付けられるデータフローの数に関係付けられる、システム。
【請求項８】
請求項１に記載のシステムであって、
前記１つ以上のプロセッサは、さらに、
前記選択されたアクセス集合に関係付けられる複数のアクセス部分集合を決定することと、
前記複数のアクセス部分集合の各アクセス部分集合が統一ユーザ識別子を含むことを決定することと、
を行うように構成される、システム。
【請求項９】
方法であって、
１人以上の訪問ユーザによって送信された複数のアクセスリクエストに関係付けられるネットワークアドレス識別子と、前記複数のアクセスリクエストに関係付けられる複数のヘッダフィールド要素と、に少なくとも部分的に基づいて、複数のアクセス集合を生成することであって、前記複数のアクセスリクエストの各アクセスリクエストは、予備ユーザ識別子と、前記ネットワークアドレス識別子と、前記複数のヘッダフィールド要素とを含み、一つのアクセス集合は、前記ネットワークアドレス識別子と、前記複数のヘッダフィールド要素の少なくとも一部の要素と、を含む、複数のアクセス集合の生成と、
前記アクセスリクエストに少なくとも部分的に基づいて、前記複数のアクセス集合の少なくとも一部分集合のそれぞれのアクセス集合に対応する情報損失率を決定することと、
前記それぞれの情報損失率に少なくとも部分的に基づいて、前記複数の訪問ユーザの中の一つの訪問ユーザに対応する統一ユーザ識別子の決定に使用するためのアクセス集合を、前記複数のアクセス集合のなかから選択することと、
を備える方法。
【請求項１０】
請求項９に記載の方法であって、
前記複数のヘッダフィールド要素は、承認言語情報、承認コード化情報、およびユーザエージェント情報のうちの、１つ以上を含む、方法。
【請求項１１】
請求項９に記載の方法であって、
前記アクセスリクエストに少なくとも部分的に基づいて、前記複数のアクセス集合の少なくとも一部分集合のそれぞれのアクセス集合に対応する情報損失率を決定することは、前記複数のアクセス集合の中の第１のアクセス集合に対応する情報損失率を決定することを含み、前記情報損失率は、アクセス集合を使用して前記複数の訪問ユーザのための統一ユーザ識別子を決定する場合の精度の予測値を含む、方法。
【請求項１２】
請求項１１に記載の方法であって、
前記第１のアクセス集合に対応する情報損失率を決定することは、
前記第１のアクセス集合から複数のアクセス部分集合を決定することであって、一つのアクセス部分集合は、前記第１のアクセス集合に関係付けられるネットワークアドレス識別子と、前記第１のアクセス集合に関係付けられるヘッダフィールド要素に対応する値と、を含む、複数のアクセス部分集合の決定と、
前記複数のアクセス部分集合の各アクセス部分集合について、前記第１のアクセス集合に関係付けられた複数の予備ユーザ識別子に関係付けられるデータフローの数を決定することと、
前記複数の予備ユーザ識別子に関係付けられるデータフローのそれぞれの数に少なくとも部分的に基づいて、前記第１のアクセス集合についての情報損失率を決定することと、
を含む、方法。
【請求項１３】
請求項１２に記載の方法であって、
前記複数のアクセス部分集合の各アクセス部分集合について、前記第１のアクセス集合に関係付けられた複数の予備ユーザ識別子に関係付けられるデータフローの数を決定することは、前記複数の予備ユーザ識別子の各予備ユーザ識別子に関係付けられる前記アクセス部分集合のデータフローのそれぞれの数を足し合わせることを含む、方法。
【請求項１４】
請求項１３に記載の方法であって、
前記第１のアクセス集合についての情報損失率を決定することは、式（１−Ｒ／Ｗ）に少なくとも部分的に基づき、ここで、Ｒは、前記複数のアクセス部分集合の各アクセス部分集合に対応する前記複数の予備ユーザ識別子に関係付けられるデータフローの数に関係付けられる和を表し、Ｗは、指定のデータフロー範囲を表す、方法。
【請求項１５】
請求項１４に記載の方法であって、
前記指定のデータフロー範囲は、前記第１のアクセス集合に関係付けられる情報損失率を決定するために分析される、指定の時間間隔にわたって受信される前記第１のアクセス集合に関係付けられるデータフローの数に関係付けられる、方法。
【請求項１６】
請求項９に記載の方法であって、さらに、
前記選択されたアクセス集合に関係付けられる複数のアクセス部分集合を決定することと、
前記複数のアクセス部分集合の各アクセス部分集合が統一ユーザ識別子を含むことを決定することと、
を備える方法。
【請求項１７】
コンピュータプログラムであって、コンピュータを使用して、
１人以上の訪問ユーザによって送信された複数のアクセスリクエストに関係付けられるネットワークアドレス識別子と、前記複数のアクセスリクエストに関係付けられる複数のヘッダフィールド要素と、に少なくとも部分的に基づいて、複数のアクセス集合を生成する機能であって、前記複数のアクセスリクエストの各アクセスリクエストは、予備ユーザ識別子と、前記ネットワークアドレス識別子と、前記複数のヘッダフィールド要素とを含み、一つのアクセス集合は、前記ネットワークアドレス識別子と、前記複数のヘッダフィールド要素の少なくとも一部の要素とを含む、機能と、
前記アクセスリクエストに少なくとも部分的に基づいて、前記複数のアクセス集合の少なくとも一部分集合のそれぞれのアクセス集合に対応する情報損失率を決定する機能と、
前記それぞれの情報損失率に少なくとも部分的に基づいて、前記複数の訪問ユーザの中の一つの訪問ユーザに対応する統一ユーザ識別子の決定に使用するためのアクセス集合を、前記複数のアクセス集合のなかから選択する機能と、
を実現させるための、コンピュータプログラム。
【請求項１８】
請求項１７に記載のコンピュータプログラムであって、
前記複数のヘッダフィールド要素は、承認言語情報、承認コード化情報、およびユーザエージェント情報のうちの、１つ以上を含む、コンピュータプログラム。
【請求項１９】
請求項１７に記載のコンピュータプログラムであって、
前記アクセスリクエストに少なくとも部分的に基づいて、前記複数のアクセス集合の少なくとも一部分集合のそれぞれのアクセス集合に対応する情報損失率を決定することは、前記複数のアクセス集合の中の第１のアクセス集合に対応する情報損失率を決定することを含み、前記情報損失率は、アクセス集合を使用して前記複数の訪問ユーザのための統一ユーザ識別子を決定する場合の精度の予測値を構成する、コンピュータプログラム。
【請求項２０】
請求項１９に記載のコンピュータプログラムであって、
前記第１のアクセス集合に対応する情報損失率を決定することは、
前記第１のアクセス集合から複数のアクセス部分集合を決定することであって、一つのアクセス部分集合は、前記第１のアクセス集合に関係付けられるネットワークアドレス識別子と、前記第１のアクセス集合に関係付けられるヘッダフィールド要素に対応する値と、を含む、複数のアクセス部分集合の決定と、
前記複数のアクセス部分集合の各アクセス部分集合について、前記第１のアクセス集合に関係付けられた複数の予備ユーザ識別子に関係付けられるデータフローの数を決定することと、
前記複数の予備ユーザ識別子に関係付けられるデータフローのそれぞれの数に少なくとも部分的に基づいて、前記第１のアクセス集合についての情報損失率を決定することと、
を含む、コンピュータプログラム。
【手続補正２】
【補正対象書類名】明細書
【補正対象項目名】００４３
【補正方法】変更
【補正の内容】
【００４３】
図４は、上記の例における、予備ユーザ識別子Ｂ１、Ｂ２、およびＢ３とアクセス部分集合［Ａ１，Ｃ１，ＩＰ１］および［Ａ１，Ｃ２，ＩＰ１］との間の対応関係を示した図である。図４に示されるように、アクセス部分集合［Ａ１，Ｃ１，ＩＰ１］は、予備ユーザ識別子Ｂ１、Ｂ２、およびＢ３に対応しており、アクセス部分集合［Ａ１，Ｃ２，ＩＰ１］は、予備ユーザ識別子Ｂ１およびＢ２には対応しているが、Ｂ３には対応していない。
【手続補正３】
【補正対象書類名】明細書
【補正対象項目名】００５７
【補正方法】変更
【補正の内容】
【００５７】
統一ユーザ識別子を決定する最適な事例は、関係付けられた各アクセス部分集合が１つの予備ユーザ識別子のみに対応するだろうアクセス集合を決定することだろう。したがって、この最適な事例では、アクセス集合から決定される各アクセス部分集合が、そのアクセス集合に関係付けられた予備ユーザ識別子との間に１対１の対応関係を有するだろう。この最適な事例では、このアクセス集合に関係付けられるアクセス部分集合を使用して異なる訪問ユーザを識別する場合の精度が、１００％である。しかしながら、実際は、このような最適なアクセス集合を見つけることは、ほとんど不可能である。つまり、１つのアクセス集合に関係付けられるアクセス部分集合が各予備ユーザ識別子と１対１の対応関係にならないという有りがちな事態では、そのようなアクセス集合を使用して統一ユーザ識別子を決定する場合の精度が、１００％未満である。この精度の低下、すなわち情報損失率の増加を招く状況は、２種類ある。
【手続補正４】
【補正対象書類名】明細書
【補正対象項目名】００６６
【補正方法】変更
【補正の内容】
【００６６】
一部の実施形態では、（例えばシステム管理者によって、）情報損失率の閾値が設定されてよい。情報損失率の閾値は、以下のように使用されてよい。すなわち、情報損失率が最も低いアクセス集合に対応する情報損失率が、既定の閾値を超えないときは、情報損失率が最も低いそのアクセス集合に関係付けられるアクセス部分集合が、訪問ユーザを一意に識別するために使用される。しかしながら、情報損失率が最も低いアクセス集合に対応する情報損失率が、既定の閾値を超えるときは、これは、訪問ユーザを識別するために、情報損失率が最も低いアクセス集合に関係付けられるアクセス部分集合を使用する場合の精度が低すぎることを意味し、したがって、情報損失率が最も低いアクセス集合に関係付けられるアクセス部分集合は、訪問ユーザを一意に識別するための統一ユーザ識別子として使用されない。
【手続補正５】
【補正対象書類名】明細書
【補正対象項目名】００８４
【補正方法】変更
【補正の内容】
【００８４】
情報損失率が最も低いアクセス集合から決定された各アクセス部分集合がユニーク訪問ユーザのための統一ユーザ識別子を含むことを決定するように構成されたデータ交換ユニット５０４。
【手続補正６】
【補正対象書類名】明細書
【補正対象項目名】００９１
【補正方法】変更
【補正の内容】
【００９１】
以上の実施形態は、理解を明瞭にすることを目的として幾らか詳細に説明されてきたが、本発明は、与えられた詳細に限定されない。本発明を実現するには、多くの代替的手法がある。開示された実施形態は、例示的なものであり、非限定的である。
本発明は、たとえば、以下のような態様で実現することもできる。
適用例１：
少なくとも１つのプロセッサと、
前記少なくとも１つのプロセッサに結合され、前記少なくとも１つのプロセッサに命令を提供するように構成されたメモリと、
を備えるシステムであって、
前記少なくとも１つのプロセッサは、
１人以上の訪問ユーザによって送信された複数のアクセスリクエストに関係付けられるネットワークアドレス識別子と、前記複数のアクセスリクエストに関係付けられる複数のヘッダフィールド要素と、に少なくとも部分的に基づいて、複数のアクセス集合を生成することであって、前記複数のアクセスリクエストの各アクセスリクエストは、予備ユーザ識別子と、前記ネットワークアドレス識別子と、前記複数のヘッダフィールド要素とを含み、一つのアクセス集合は、前記ネットワークアドレス識別子と、前記複数のヘッダフィールド要素の少なくとも一部の要素と、を含む、複数のアクセス集合の生成と、
前記アクセスリクエストに少なくとも部分的に基づいて、前記複数のアクセス集合の少なくとも一部分集合のそれぞれのアクセス集合に対応する情報損失率を決定することと、
前記それぞれの情報損失率に少なくとも部分的に基づいて、前記複数の訪問ユーザの中の一つの訪問ユーザに対応する統一ユーザ識別子の決定に使用するためのアクセス集合を、前記複数のアクセス集合のなかから選択することと、
を行うように構成される、システム。
適用例２：
適用例１のシステムであって、
前記複数のヘッダフィールド要素は、承認言語情報、承認コード化情報、およびユーザエージェント情報のうちの、１つ以上を含む、システム。
適用例３：
適用例１のシステムであって、
前記アクセスリクエストに少なくとも部分的に基づいて、前記複数のアクセス集合の少なくとも一部分集合のそれぞれのアクセス集合に対応する情報損失率を決定することは、前記複数のアクセス集合の中の第１のアクセス集合に対応する情報損失率を決定することを含み、前記情報損失率は、アクセス集合を使用して前記複数の訪問ユーザのための統一ユーザ識別子を決定する場合の精度の予測値を構成する、システム。
適用例４：
適用例３のシステムであって、
前記第１のアクセス集合に対応する情報損失率を決定することは、
前記第１のアクセス集合から複数のアクセス部分集合を決定することであって、一つのアクセス部分集合は、前記第１のアクセス集合に関係付けられるネットワークアドレス識別子と、前記第１のアクセス集合に関係付けられるヘッダフィールド要素に対応する値と、を含む、複数のアクセス部分集合の決定と、
前記複数のアクセス部分集合の各アクセス部分集合について、前記第１のアクセス集合に関係付けられた複数の予備ユーザ識別子に関係付けられるデータフローの数を決定することと、
前記複数の予備ユーザ識別子に関係付けられるデータフローのそれぞれの数に少なくとも部分的に基づいて、前記第１のアクセス集合についての情報損失率を決定することと、
を含む、システム。
適用例５：
適用例４のシステムであって、
前記複数のアクセス部分集合の各アクセス部分集合について、前記第１のアクセス集合に関係付けられた複数の予備ユーザ識別子に関係付けられるデータフローの数を決定することは、前記複数の予備ユーザ識別子の各予備ユーザ識別子に関係付けられるアクセス部分集合のデータフローのそれぞれの数を足し合わせることを含む、システム。
適用例６：
適用例５のシステムであって、
前記第１のアクセス集合についての情報損失率を決定することは、式（１−Ｒ／Ｗ）に少なくとも部分的に基づき、
ここで、Ｒは、前記複数のアクセス部分集合の各アクセス部分集合に対応する前記複数の予備ユーザ識別子に関係付けられるデータフローの数に関係付けられる和を表し、Ｗは、指定のデータフロー範囲を表す、システム。
適用例７：
適用例６のシステムであって、
前記指定のデータフロー範囲は、前記第１のアクセス集合に関係付けられる情報損失率を決定するために分析される、指定の時間間隔にわたって受信される前記第１のアクセス集合に関係付けられるデータフローの数に関係付けられる、システム。
適用例８：
適用例１のシステムであって、
前記１つ以上のプロセッサは、さらに、
前記選択されたアクセス集合に関係付けられる複数のアクセス部分集合を決定することと、
前記複数のアクセス部分集合の各アクセス部分集合が統一ユーザ識別子を構成することを決定することと、
を行うように構成される、システム。
適用例９：
方法であって、
１人以上の訪問ユーザによって送信された複数のアクセスリクエストに関係付けられるネットワークアドレス識別子と、前記複数のアクセスリクエストに関係付けられる複数のヘッダフィールド要素と、に少なくとも部分的に基づいて、複数のアクセス集合を生成することであって、前記複数のアクセスリクエストの各アクセスリクエストは、予備ユーザ識別子と、前記ネットワークアドレス識別子と、前記複数のヘッダフィールド要素とを含み、一つのアクセス集合は、前記ネットワークアドレス識別子と、前記複数のヘッダフィールド要素の少なくとも一部の要素と、を含む、複数のアクセス集合の生成と、
前記アクセスリクエストに少なくとも部分的に基づいて、前記複数のアクセス集合の少なくとも一部分集合のそれぞれのアクセス集合に対応する情報損失率を決定することと、
前記それぞれの情報損失率に少なくとも部分的に基づいて、前記複数の訪問ユーザの中の一つの訪問ユーザに対応する統一ユーザ識別子の決定に使用するためのアクセス集合を、前記複数のアクセス集合のなかから選択することと、
を備える方法。
適用例１０：
適用例９の方法であって、
前記複数のヘッダフィールド要素は、承認言語情報、承認コード化情報、およびユーザエージェント情報のうちの、１つ以上を含む、方法。
適用例１１：
適用例９の方法であって、
前記アクセスリクエストに少なくとも部分的に基づいて、前記複数のアクセス集合の少なくとも一部分集合のそれぞれのアクセス集合に対応する情報損失率を決定することは、前記複数のアクセス集合の中の第１のアクセス集合に対応する情報損失率を決定することを含み、前記情報損失率は、アクセス集合を使用して前記複数の訪問ユーザのための統一ユーザ識別子を決定する場合の精度の予測値を構成する、方法。
適用例１２：
適用例１１の方法であって、
前記第１のアクセス集合に対応する情報損失率を決定することは、
前記第１のアクセス集合から複数のアクセス部分集合を決定することであって、一つのアクセス部分集合は、前記第１のアクセス集合に関係付けられるネットワークアドレス識別子と、前記第１のアクセス集合に関係付けられるヘッダフィールド要素に対応する値と、を含む、複数のアクセス部分集合の決定と、
前記複数のアクセス部分集合の各アクセス部分集合について、前記第１のアクセス集合に関係付けられた複数の予備ユーザ識別子に関係付けられるデータフローの数を決定することと、
前記複数の予備ユーザ識別子に関係付けられるデータフローのそれぞれの数に少なくとも部分的に基づいて、前記第１のアクセス集合についての情報損失率を決定することと、
を含む、方法。
適用例１３：
適用例１２の方法であって、
前記複数のアクセス部分集合の各アクセス部分集合について、前記第１のアクセス集合に関係付けられた複数の予備ユーザ識別子に関係付けられるデータフローの数を決定することは、前記複数の予備ユーザ識別子の各予備ユーザ識別子に関係付けられる前記アクセス部分集合のデータフローのそれぞれの数を足し合わせることを含む、方法。
適用例１４：
適用例１３の方法であって、
前記第１のアクセス集合についての情報損失率を決定することは、式（１−Ｒ／Ｗ）に少なくとも部分的に基づき、ここで、Ｒは、前記複数のアクセス部分集合の各アクセス部分集合に対応する前記複数の予備ユーザ識別子に関係付けられるデータフローの数に関係付けられる和を表し、Ｗは、指定のデータフロー範囲を表す、方法。
適用例１５：
適用例１４の方法であって、
前記指定のデータフロー範囲は、前記第１のアクセス集合に関係付けられる情報損失率を決定するために分析される、指定の時間間隔にわたって受信される前記第１のアクセス集合に関係付けられるデータフローの数に関係付けられる、方法。
適用例１６：
適用例９の方法であって、さらに、
前記選択されたアクセス集合に関係付けられる複数のアクセス部分集合を決定することと、
前記複数のアクセス部分集合の各アクセス部分集合が統一ユーザ識別子を構成することを決定することと、
を備える方法。
適用例１７：
非一時的なコンピュータ読み取り可能ストレージ媒体に格納されたコンピュータプログラム製品であって、
１人以上の訪問ユーザによって送信された複数のアクセスリクエストに関係付けられるネットワークアドレス識別子と、前記複数のアクセスリクエストに関係付けられる複数のヘッダフィールド要素と、に少なくとも部分的に基づいて、複数のアクセス集合を生成するためのコンピュータ命令であって、前記複数のアクセスリクエストの各アクセスリクエストは、予備ユーザ識別子と、前記ネットワークアドレス識別子と、前記複数のヘッダフィールド要素とを含み、一つのアクセス集合は、前記ネットワークアドレス識別子と、前記複数のヘッダフィールド要素の少なくとも一部の要素とを含む、コンピュータ命令と、
前記アクセスリクエストに少なくとも部分的に基づいて、前記複数のアクセス集合の少なくとも一部分集合のそれぞれのアクセス集合に対応する情報損失率を決定するためのコンピュータ命令と、
前記それぞれの情報損失率に少なくとも部分的に基づいて、前記複数の訪問ユーザの中の一つの訪問ユーザに対応する統一ユーザ識別子の決定に使用するためのアクセス集合を、前記複数のアクセス集合のなかから選択するためのコンピュータ命令と、
を備えるコンピュータプログラム製品。
適用例１８：
適用例１７のコンピュータプログラム製品であって、
前記複数のヘッダフィールド要素は、承認言語情報、承認コード化情報、およびユーザエージェント情報のうちの、１つ以上を含む、コンピュータプログラム製品。
適用例１９：
適用例１７のコンピュータプログラム製品であって、
前記アクセスリクエストに少なくとも部分的に基づいて、前記複数のアクセス集合の少なくとも一部分集合のそれぞれのアクセス集合に対応する情報損失率を決定することは、前記複数のアクセス集合の中の第１のアクセス集合に対応する情報損失率を決定することを含み、前記情報損失率は、アクセス集合を使用して前記複数の訪問ユーザのための統一ユーザ識別子を決定する場合の精度の予測値を構成する、コンピュータプログラム製品。
適用例２０：
適用例１９のコンピュータプログラム製品であって、
前記第１のアクセス集合に対応する情報損失率を決定することは、
前記第１のアクセス集合から複数のアクセス部分集合を決定することであって、一つのアクセス部分集合は、前記第１のアクセス集合に関係付けられるネットワークアドレス識別子と、前記第１のアクセス集合に関係付けられるヘッダフィールド要素に対応する値と、を含む、複数のアクセス部分集合の決定と、
前記複数のアクセス部分集合の各アクセス部分集合について、前記第１のアクセス集合に関係付けられた複数の予備ユーザ識別子に関係付けられるデータフローの数を決定することと、
前記複数の予備ユーザ識別子に関係付けられるデータフローのそれぞれの数に少なくとも部分的に基づいて、前記第１のアクセス集合についての情報損失率を決定することと、
を含む、コンピュータプログラム製品。